(57)【要約】【課題】吸光光度計を用いてコー０ルタール、コールタールピッチ類又は石油系ピッチ類のＱＩ等の溶剤不溶分測定を更に正確に行え、その分量分布の広範囲で行え、幅広い測定領域を有し、簡便な方法で溶剤不溶分を測定する方法及び装置を提供する。【解決手段】コールタール、コールタールピッチ類又は石油系ピッチ類から選択されるピッチ類等と溶剤とを混合した測定試料中の溶剤不溶分の含有割合を測定する方法であって、該測定試料に少なくとも可視、近赤外又は赤外スペクトルの何れかを照射し、少なくとも以下の（１）〜（３）の何れかの吸光度又は吸光度比に基づいて算出することを特徴とする溶剤不溶分の含有割合測定方法。（１）波長４００〜１５００ｎｍから選ばれる１波長（λ１）における吸光度（Ｋλ１）（２）波長１７００〜２５００ｎｍから選ばれる１波長（λ２）における吸光度（Ｋλ２）（３）Ｋλ１とＫλ２との比率（Ｋλ２／Ｋλ１）【選択図】なし【特許請求の範囲】
【請求項１】
コールタール、コールタールピッチ類又は石油系ピッチ類から選択されるピッチ類等と溶剤とを混合した測定試料中の溶剤不溶分の含有割合を測定する方法であって、
該測定試料に少なくとも可視、近赤外又は赤外スペクトルの何れかを照射し、少なくとも以下の（１）〜（３）の何れかの吸光度又は吸光度比に基づいて算出することを特徴とする溶剤不溶分の含有割合測定方法。
（１）波長４００〜１５００ｎｍから選ばれる１波長（λ１）における吸光度（Ｋλ１）
（２）波長１７００〜２５００ｎｍから選ばれる１波長（λ２）における吸光度（Ｋλ２）
（３）Ｋλ１とＫλ２との比率（Ｋλ２／Ｋλ１）
【請求項２】
前記（Ｋλ２／Ｋλ１）が０．０１以上１以下である測定試料を、（Ｋλ２／Ｋλ１）の吸光度比に基づいて算出することを特徴とする請求項１に記載の溶剤不溶分の含有割合測定方法。
【請求項３】
前記溶剤不溶分がキノリン不溶分である請求項１又は２に記載の溶剤不溶分の含有割合測定方法。
【請求項４】
コールタール、コールタールピッチ類又は石油系ピッチ類から選択されるピッチ類等と溶剤とを混合した測定試料中の溶剤不溶分の含有割合を測定する装置であって、
該ピッチ類等と該溶剤とを混合して測定試料を得る混合装置、
該測定試料に少なくとも可視、近赤外又は赤外スペクトルの何れかを照射し、少なくとも以下の（１）〜（３）の何れかの吸光度又は吸光度比を算出する検出装置、
該検出装置に該測定試料を連続的に流通させる流通装置を有する、溶剤不溶分の含有割合測定装置。
（１）波長４００〜１５００ｎｍから選ばれる１波長（λ１）における吸光度（Ｋλ１）
（２）波長１７００〜２５００ｎｍから選ばれる１波長（λ２）における吸光度（Ｋλ２）
（３）Ｋλ１とＫλ２との比率（Ｋλ２／Ｋλ１）
【請求項５】
前記溶剤不溶分がキノリン不溶分である請求項４に記載の溶剤不溶分の含有割合測定装置。
【発明の詳細な説明】
【技術分野】
【０００１】
本発明は、コールタール、コールタールピッチ類又は石油系ピッチ類中の溶剤不溶分の含有割合測定方法に関するものである。
【背景技術】
【０００２】
コークス炉において石炭を乾留してコークスを製造する際に副生する成分として、重質油であるコールタールや、コールタール誘導体であるコールタールピッチ類（ソフトピッチ、中ピッチ、硬ピッチ、各種作業工程中のピッチを含む）がある。
【０００３】
従来、これらの溶剤不溶分の測定は、コールタール又はコールタールピッチ類の試料を採取した後、計量し、溶剤に溶解した後、ろ過してフィルター上の溶解残渣を溶剤で洗浄し、これを乾燥した後、その重量を計量することにより、試料中の溶剤不溶分量を求める方法が採用されており、試料採取、溶解、乾燥の一連の作業が手作業で行われている。そして、溶剤不溶分の測定には、キノリン、トルエン、Ｎ−メチルピロリドン、ヘキサン等の溶剤が使用され、一般的にキノリンの場合、「ＱＩ（Ｑｕｉｎｏｌｉｎｅ  Ｉｎｓｏｌｕｂｌｅ）」として表示される。
【０００４】
従来より、コールタールやコールタールピッチ類を取り扱うプラント（プロセス）において、ＱＩを連続的に且つ簡便に測定するために、様々な測定手法が提案されている。
例えば、ソフトピッチのＱＩの測定に液中微粒子計数器（パーティクルカウンター）を適用し、試料中の不溶性粒子数を粒子径ごとに測定し、それらとＱＩの値との相関関係から特性値を求めておき、その特性値から演算器を利用して自動的にＱＩを算出する測定装置が提案されている（特許文献１）。
【０００５】
また、ソフトピッチのＱＩ値の測定に吸光光度計を適用し、更に測定対象である高粘度の瀝青物のサンプル試料に第一の溶剤としてタール留出油を混合して低粘度にしてプロセス配管中で混合する装置（スタティックミキサー）に押し出し混合させた後、第二の溶剤としてキノリンを用い、所定量をスタティックミキサーで混合して溶解／希釈した後に、試料の吸光度を測定する測定装置が提案されている（特許文献２）。この装置では、ＱＩ測定の所要時間が２０分と短縮できるとしている（同文献段落００３７）。
【先行技術文献】
【特許文献】
【０００６】
【特許文献１】特開平０４−９６６４号公報
【特許文献２】特開平０８−１０１１００号公報
【発明の概要】
【発明が解決しようとする課題】
【０００７】
ところで、特許文献１の技術は、粒子の数をカウントするという点で、測定出来る粒子の数に限りがあるため、溶剤不溶分が１重量％以下のものに限ってしか適用されておらず、ＱＩの測定領域が高くなって粒子の数が多くなった場合に高い精度が確保できない問題がある。
【０００８】
また、特許文献２の技術は、スタティックミキサーで混合する際の瀝青物中固形分によるスタティックミキサー内における閉塞、例えば、第一の溶剤であるタール留出油を送液するポンプ内でのタール留出油中固形分によるポンプ内での閉塞の問題があり、安定して測定することが困難である。さらに、特許文献２の吸光光度計においては、フローセル式吸光光度計でサンプル試料の吸光度によって該サンプル試料中のキノリン不溶成分を測定しているが、具体的な吸光光度計による測定原理や条件、即ち、測定対象となるコールタールピッチ類に照射した光の波長等についての記載はなく、コールタールピッチ中のＱＩがどの範囲の吸収波長領域と相関があるのかなどは見出されていないため、具体的なＱＩのオンライン測定装置としては工業的に十分な方法並びに装置とは言えなかった。
【０００９】
そこで、本発明は、上記実状に鑑み、吸光光度計を用いてコールタール、コールタールピッチ類又は石油から発生する石油系ピッチ類のＱＩ等の溶剤不溶分測定を更に正確に行え、その分量分布の広範囲で行え、幅広い測定領域を有し、簡便な方法で溶剤不溶分を測定する方法及び装置を提供することを課題とする。
【課題を解決するための手段】
【００１０】
上記課題を解決すべく鋭意検討した結果、本発明者は、可視光線及び赤外線領域で同時に複数の波長領域における多成分分析用の吸光光度分析計により、ＱＩと各可視及び赤外分析の波長領域との相関を確認したところ、特定の１波長での吸光度とＱＩとの相関や、複数の波長による吸光度の比とＱＩの相関が強いことを見出した。そして、幅広いＱＩ値等の不溶分に対して、特定の波長と吸光度との相関関係、及び複数の波長による吸光度の比との相関関係が存在することを見出し、本発明を完成するに至ったのである。
すなわち、本発明の要旨は下記［１］〜［５］に存する。
【００１１】
［１］コールタール、コールタールピッチ類又は石油系ピッチ類から選択されるピッチ類等と溶剤とを混合した測定試料中の溶剤不溶分の含有割合を測定する方法であって、
該測定試料に少なくとも可視、近赤外又は赤外スペクトルの何れかを照射し、少なくとも以下の（１）〜（３）の何れかの吸光度又は吸光度比に基づいて算出することを特徴とする溶剤不溶分の含有割合測定方法。
（１）波長４００〜１５００ｎｍから選ばれる１波長（λ１）における吸光度（Ｋλ１）
（２）波長１７００〜２５００ｎｍから選ばれる１波長（λ２）における吸光度（Ｋλ２）
（３）Ｋλ１とＫλ２との比率（Ｋλ２／Ｋλ１）
［２］前記（Ｋλ２／Ｋλ１）が０．０１以上１以下である測定試料を、（Ｋλ２／Ｋλ１）の吸光度比に基づいて算出することを特徴とする［１］に記載の溶剤不溶分の含有割合測定方法。
［３］前記溶剤不溶分がキノリン不溶分である［１］又は［２］に記載の溶剤不溶分の含有割合測定方法。
［４］コールタール、コールタールピッチ類又は石油系ピッチ類から選択されるピッチ類等と溶剤とを混合した測定試料中の溶剤不溶分の含有割合を測定する装置であって、
該ピッチ類等と該溶剤とを混合して測定試料を得る混合装置、
該測定試料に少なくとも可視、近赤外又は赤外スペクトルの何れかを照射し、少なくとも以下の（１）〜（３）の何れかの吸光度又は吸光度比を算出する検出装置、
該検出装置に該測定試料を連続的に流通させる流通装置を有する、溶剤不溶分の含有割合測定装置。
（１）波長４００〜１５００ｎｍから選ばれる１波長（λ１）における吸光度（Ｋλ１）
（２）波長１７００〜２５００ｎｍから選ばれる１波長（λ２）における吸光度（Ｋλ２）
（３）Ｋλ１とＫλ２との比率（Ｋλ２／Ｋλ１）
［５］前記溶剤不溶分がキノリン不溶分である［４］に記載の溶剤不溶分の含有割合測定装置。
【発明の効果】
【００１２】
本発明は、可視、近赤外又は赤外スペクトルに基づく吸光度分析において、ある特定の波長領域から選ばれる波長における吸光度に基づき、又はある特定の２つの波長領域から選ばれる波長における吸光度の比率に基づき、コールタール、コールタールピッチ類又は石油系ピッチ類の溶剤不溶分の含有割合を測定することで、試料の量（サンプリング量）を変えたり、希釈溶剤量を変えたりすることなく、その不溶分をその量に関係なく正確に測定することができる。
【図面の簡単な説明】
【００１３】
【図１】実施例１の結果を示すグラフ
【図２】実施例２の結果を示すグラフ
【図３】実施例３の結果を示すグラフ
【図４】本願発明の測定装置の構成図
【図５】図４の測定部の詳細図
【発明を実施するための形態】
【００１４】
以下に、本発明をその実施形態により更に具体的に説明するが、本発明はその要旨を超えない限り、これらの実施形態によって限定されるものではない。
この発明は、コールタール、コールタールピッチ類又は石油系ピッチ類（以下、まとめて「ピッチ類等」と称する場合がある。）と溶剤とを混合した溶液（以下、「測定試料」と称する場合がある。）中の溶剤不溶分の含有割合を測定する方法に関する発明である。
【００１５】
本発明の測定方法において測定の対象とするピッチ類等は、コールタール、コールタールピッチ類、石油系ピッチ類から選択される少なくとも何れかを含むものであればよく、これらの混合物であってもよい。また、複数のコールタールの混合物、複数のコールタールピッチ類の混合物、複数の石油系ピッチ類の混合物であってもよい。
また、測定試料としては、ピッチ類等と溶剤以外の任意の化合物や単体を含有していてもよい。
【００１６】
前記のコールタールは、好ましくは、コークス炉で生成する粗鋼コークス炉ガスを段階的に冷却していき、沸点の高いものを凝縮して得たコールタールである。また、前記のコールタールピッチ類は、コールタール、好ましくは上述のコークス炉から得たコールタールを蒸留により軽質な芳香族成分を除去したものである。
【００１７】
前記の石油系ピッチ類は、好ましくは、石油精製工程における、常圧蒸留残油又は減圧蒸留残油であり、それらの残油を流動接触分解装置により処理した残油も含まれる。これらのピッチ類等の中には、芳香族成分、アルキル側鎖やヘテロ環化合物、硫黄や窒素や酸素などが含まれていてもよい。
【００１８】
さらに、前記の溶剤としては、例えば、キノリン、トルエン、Ｎ−メチルピロリドン、ピリジン、アセトン、ヘキサン、ニトロベンゼン、モルホリン、クロロホルム、アルコールなどが挙げられるが、好ましくはキノリン、トルエン、ピリジンであり、ピッチ類等に対して高い溶解性を持つという観点から、キノリンがより好ましい。
【００１９】
これらの溶剤と前記ピッチ類等とを混合させる方法は特に限定されないが、ピッチ類等は粘性が高いので、撹拌しながら混合することが好ましい。
また、その撹拌で得られた溶液の一部を抜き出し、その抜き出した溶液をさらに希釈した溶液を測定試料としてもよい。
【００２０】
前記のピッチ類等と溶剤との混合溶液（測定試料）に含まれる溶剤不溶分の含有割合は、可視光の波長から赤外光の波長領域の範囲で吸光度を測定することが可能な吸光光度計を用いて算出することができる。
この吸光光度計としては、２つ以上の波長領域における測定波長での吸光度を同時に測定するセンサーを備えることが好ましい。
【００２１】
すなわち、前記の測定試料に、可視光の波長から赤外光の波長領域における所定の１つの光を照射し、その波長における吸光度を計測し、その吸光度から溶剤不溶分の含有割合を算出することができる。
また、前記の測定試料に、可視光の波長から近赤外光の波長領域の光と、赤外光とを照射し、それぞれの波長における吸光度を計測し、吸光度の比率から溶剤不溶分の含有割合を算出することができる。
【００２２】
可視、近赤外又は赤外スペクトルに基づく吸光度の測定センサーを用いると、光やレーザー方式の測定法が不得意とする色調変化のあるコールタールピッチ類にも適応できるので、ピッチ類等のように、多成分を含む溶液の吸光度測定に用いることができる。このような吸光度測定センサーとしては、（株）チノー製  ＩＭ  ｓｅｒｉｅｓ  Ｍｏｄｅｌ３１９２が挙げられる。
【００２３】
本発明の方法において用いる試料測定用セルは、測定するサンプルに対して通常用いられているものであればよく、例えばサンプルが液体であれば市販の可視及び赤外分析用液体セル（セル長０．０２〜１０ｍｍ）を用いることができる。
また、フローセルを分光器に設置し、ここに試料を連続的に通過させて試料中の溶剤不溶分を連続的に測定することも可能である。セルの幅を調整することにより、フローセルを用いる場合にも測定試料がセル中に滞留することなく連続的に循環させることができる。また、連続分析時においてしばしば必要となる高温高圧条件下において耐え得るセルを用いることも比較的簡単である。フローセルとしては従来用いられているものが何れも好適に使用される。
【００２４】
分光器からは、可視光線、近赤外線又は赤外線が照射されるが、分光器と測定試料との距離は吸光度を算出することができれば限定する必要はないが、好ましくは２０〜４００ｍｍであり、より好ましくは１００〜３００ｍｍである。
【００２５】
本発明では、可視、近赤外又は赤外スペクトルの測定波長領域として、４００〜１５００ｎｍと１７００〜２５００ｎｍとを用いる。具体的には、少なくとも４００〜１５００ｎｍから選ばれる１波長（λ１）又は１７００〜２５００ｎｍから選ばれる１波長（λ２）の何れかを測定試料に照射し、この測定試料を透過するスペクトルを検出し、これより吸光度を算出する。
【００２６】
上記の測定波長の中でも可視光〜近赤外光の領域としては、７００〜１３００ｎｍの波長が好ましく、９００〜１１００ｎｍの波長がより好ましく、９５０〜１０５０ｎｍの波長が更に好ましい。溶剤としてキノリンを使用し、キノリン不溶分を測定する場合、７００ｎｍ未満の波長を用いると、キノリンの劣化による吸光度の変化を受け易い傾向にある。
【００２７】
上記の測定波長の中でも赤外光の領域としては、１８００〜１９００ｎｍ又は２０００〜２１５０ｎｍの波長が好ましい。赤外光の領域においてこれらの波長領域以外の領域、具体的には１４００〜１６００ｎｍ、１９１０〜１９９０ｎｍ、２２００ｎｍを超える波長を用いると、溶剤としてキノリンを使用し、キノリン不溶分を測定する場合にキノリンの吸湿の影響を受けて吸光度が変化する傾向がある。
【００２８】
吸光度を求める際、通常は溶剤又は空気を基準サンプルとしてあらかじめ測定しておき、これと測定試料サンプルの測定値より例えば、式（Ｉ）からそれぞれの波長に対応する吸光度Ｋλ１、Ｋλ２を計算する。
【００２９】
【数１】
2014178312.tif 000002
【００３０】
そして、λ１又はλ２における吸光度（Ｋλ１、Ｋλ２）から溶剤不溶分含有割合の測定を行うことができる。また、λ１における吸光度（Ｋλ１）とλ２における吸光度（Ｋλ２）との比率（Ｋλ２／Ｋλ１）から、溶剤不溶分含有割合を算出することができる。
【００３１】
可視光〜近赤外光領域の吸光度であるＫλ１は溶剤の吸光度と関連付けられ、赤外光領域の吸光度であるＫλ２は溶剤不溶分の吸光度と関連付けることができる。このためλ１、λ２の測定波長を適宜選択すれば、これらの比率（Ｋλ２／Ｋλ１）を尺度とすることで赤外吸収における温度の影響を低減することができ、溶剤不溶分の含有割合を一層正確に測定することが出来る。
【００３２】
上記の比率（Ｋλ２／Ｋλ１）から溶剤不溶分の含有割合を算出する場合、該比率が０．０１〜１である測定試料を対象とすることが好ましく、０．０１５〜０．８であることがより好ましく、０．０２〜０．６であることが更に好ましく、０．０２５〜０．４であることが更に好ましい。
【００３３】
前記測定試料に含まれる溶剤不溶分の含有割合は、０．１重量％以上７０重量％以下がよく、１重量％以上３０重量％以下が好ましい。溶剤不溶分含有割合が低すぎると、測定試料の溶剤不溶分を測定するのに充分な吸光度を得ることができないという問題点を生じる場合がある。一方、溶剤不溶分の含有割合が高すぎると、照射する赤外線が受光部に到達しないという問題点を生じる場合がある。
【００３４】
前記測定試料の比重は、特に限定されないが、好ましくは温度１５℃における比重が０．７〜１．８であり、より好ましくは１．０〜１．６である。比重が大きすぎると、照射する可視光線及び赤外線がフローセルに到達し難くなるおそれがある。
【００３５】
前記の赤外分光器の光源から発信された所定波長のスペクトルは、試料溶液中の分子に吸収され減衰をしながら受光部に到達する。この受光部に到達した赤外線の透過光が試料溶液中の溶剤不溶分含有割合と比例関係にあることから、測定された透過光より吸光度を算出し、その得られた吸光度より溶剤不溶分含有割合を算出することができる。
【００３６】
次に、図４及び図５を用いて測定装置の概要や測定方法や測定操作について詳細に説明する。図４は本発明の測定装置の構成図、図５はその測定部の詳細図を示す。
【００３７】
図４において、コークス製造におけるピッチ類等ａの輸液（プロセス）ライン又はそのラインから取り出されたサンプルラインは、開閉バルブＶ１を介して分岐管１１に接続される。この分岐管１１の分岐の一方のプロセスライン１１ａは、熱交換器１２に接続され、他方のプロセスライン１１ｂは、開閉バルブＶ２、Ｖ１０を介して廃液工程Ｗに連結される。
【００３８】
前記熱交換器１２からのプロセスライン１１ｃは、後述するキノリン等の溶剤ｂと混合させるための混合機構１４に接続される。この混合機構１４としては、例えば３方バルブや４方バルブを用いて構成することができる。以下において、混合機構１４として４方バルブを用いた場合について説明する。
【００３９】
前記プロセスライン１１ｃは、４方バルブの第１の口に接続され、第２の口に、ピッチ類等ａを排出するための排出ライン１１ｄが接続される。この排出ライン１１ｄは、プロセスライン１１ｂに接続され、前記廃液工程Ｗに連結される。
【００４０】
また、４方バルブの第１の口の手前と第２の口の後には、開閉バルブＶ３、Ｖ４が設けられ、ピッチ類等ａの供給量や排出量が調整される。
さらに、前記プロセスライン１１ｃには、混合機構１４をバイパスして直接排出ライン１１ｄに接続するバイパスライン１１ｅが設けられ、開閉バルブＶ５によって、バイパスライン１１ｅの流量が調整される。
【００４１】
一方、キノリン等の溶剤ｂの貯留タンクＤ１にポンプＰ１を介して一時保留タンクＤ２が接続され、このタンクＤ２はポンプＰ２を介して一方は、開閉バルブＶ６を介して前記混合機構１４に接続され、分岐したもう一方は、開閉バルブＶ７及びポンプＰ３を介してフローセル１６に接続される。
【００４２】
前記開閉バルブＶ６を経由するプロセスライン１１ｆは、４方バルブの第３の口に接続され、第４の口に、溶剤ｂを排出するためプロセスライン１１ｇが接続される。そして、このプロセスライン１１ｇは希釈溶解槽１５に接続され、この希釈溶解槽１５からの排出ラインであるプロセスライン１１ｈはバルブＶ８を介してバルブＶ７に接続される。
【００４３】
上記分岐管１１は、ピッチ類等ａの閉塞防止と、温度差に依る密度の差を抑制するため、蒸気トレースによってプロセスラインと同等温に維持され、プロセスラインの圧力に合わせた流路となっている。
【００４４】
上記タンクＤ２はＪＩＳ−Ｋ２４２５に規定されるピッチ溶解時の温度である７５℃に保温されている。前記希釈溶解槽１５は、ＪＩＳ−Ｋ２４２５に規定されるピッチ溶解時の温度である７５℃に保温される。そして、この希釈溶解槽１５においては、モータ駆動の撹拌翼でピッチ類等ａを溶剤ｂで希釈、混合させる。
【００４５】
上記フローセル１６は可視、近赤外又は赤外スペクトルに基づく吸光光度計の一部を構成し、図５に示すように、分光器２１から発せられた光ｃを、前記フローセル１６の中を通過させることにより、その波長における透過率を測定する。そして、その透過率を用いて吸光度を求める（上記式（Ｉ）など）。この赤外分光器２１は、図５に示すように、ランプ２２からの光をレンズ２３及び光学フィルター２４を通して、特定の波長のみを取り出す装置である。
【００４６】
この分析装置は以上の構成であって、バルブ、ポンプ等の各機器は全て自動制御される。次に、その測定作用を説明する。
【００４７】
まず、開閉バルブＶ１を開けることにより、高温のピッチ類等ａが、分岐管１１を通りプロセスライン１１ａを通って熱交換器１２に送られる。この熱交換器１２でピッチ類等ａが１４０℃程度に冷却され、混合機構１４に送り込まれる。
このとき、開閉バルブＶ３、Ｖ４を開放し、開閉バルブＶ３、Ｖ４の間をピッチ類等ａが流れるようにし、ピッチ類等ａを混合機構１４内に導入する。そして、開閉バルブＶ３、Ｖ４を閉鎖することにより、一定量のピッチ類等ａを混合機構１４内に貯留させる。
【００４８】
一方、タンクＤ１からポンプＰ１を介してタンクＤ２に溶剤ｂが送られて貯められる。そして、このタンクＤ２からポンプＰ２を介し、混合機構１４に溶剤ｂを送り込む。このとき、プロセスライン１１ｆから１１ｇに溶剤ｂが流れるようにし、開閉バルブＶ６を開放する。これにより、混合機構１４内に貯留させた一定量のピッチ類等ａを溶剤ｂと共にプロセスライン１１ｇから希釈溶解槽１５に送ることができる。このとき、混合機構１４に送り込む溶剤ｂの量は、ポンプＰ２の回転数によって測定することができる。
このときのピッチ類等ａに対する溶剤ｂの希釈倍率は１０００〜３０００倍程度が好ましく、１２００〜２０００倍がより好ましい。この範囲を外れると、希釈倍率が低すぎる場合、透過光の量が少なくなり吸光度を測定できなくなり、希釈倍率が高すぎる場合、試料溶液中の溶剤不溶分の含有割合が検出限界以下の値となり、測定できないという問題点を生じる場合がある。
【００４９】
前記希釈溶解槽１５に送り込まれた液は、十分に混合される。そして、開閉バルブＶ７、Ｖ８を経由して、ポンプＰ３によって、フローセル１６に送り込まれ、上記可視、近赤外又は赤外光の波長領域の吸光度の測定が行われ、その吸光度の比率（Ｋλ２／Ｋλ１）又は単一波長におけるその吸光度からＱＩに変換される。
【００５０】
この可視、近赤外又は赤外光の波長領域の吸光度の測定は、必要に応じ、測定精度を高めるためフローセル１６への送り込み・排出を交互に行って繰り返され、その測定が終了すれば、洗浄操作に移行する。その洗浄操作は、まず、希釈溶解槽１５内の溶液をポンプＰ３によってフローセル１６を介して廃液工程に送られるとともに、開閉バルブＶ９を開放することにより、蒸気又は洗浄液を分岐管１１に導入し、バルブＶ２、Ｖ３を通って残存のピッチ類等ａが廃液工程Ｗに送られる。なお、洗浄液としては、キノリン等、溶剤ｂと同一であることが好ましい。
また、開閉バルブＶ９からの蒸気又は洗浄液をプロセスライン１１ａ、熱交換器１２、プロセスライン１１ｃ、混合機構１４，バイパスライン１１ｅ等を通すことにより、これらの管路を洗浄する。そして、これらの洗浄液は、排出ライン１１ｄを通って廃液工程Ｗに送られる。
【００５１】
さらに、タンクＤ２からポンプＰ２を介し、混合機構１４を通って、希釈溶解槽１５に測定実施時に用いた量と同等量以上の溶剤ｂを装入し、洗浄用の溶剤ｂをピッチ類等ａの希釈液が達した液面以上に満たして、その液面までの洗浄が行なわれる。また、この溶解力（洗浄力）を高めるため、希釈溶解槽１５を７５℃に保温してもよい。その後、ポンプＰ３によって希釈溶解槽１５内の溶液がフローセル１６を通って、廃液工程Ｗに送られる。
【００５２】
さらにまた、タンクＤ２からポンプＰ２、Ｐ３を介し、溶剤ｂをフローセル１６の中に通液させ、フローセル１６を洗浄する。そして、溶剤ｂは、廃液工程Ｗに送られる。
【００５３】
以上のＱＩ測定及び洗浄作用は、例えば、２０分〜１時間毎に行われ、そのリアルタイムのＱＩ測定値に基づいてその製造プロセスが制御される。
【実施例】
【００５４】
以下、本発明を実施例によりさらに詳細に説明するが、本発明は、その要旨を超えない限り、以下の実施例に限定されるものではない。なお、本発明での溶剤不溶分、吸光度の測定は以下の方法により測定した。
【００５５】
［吸光度の測定］
（１）ビーカーに秤量した試料をオイルバスに入れ、７５℃に加温する。
（２）可視光の波長から赤外光の波長領域の範囲で吸光度を測定できるセンサー（（株）チノー製：ＩＭ  ｓｅｒｉｅｓ  Ｍｏｄｅｌ  ３１９２）を使って、Ｋλ１とＫλ２を測定する。
λ１は６００〜７００ｎｍ又は１０００ｎｍから選ばれる１波長、λ２は２１００ｎｍの波長領域とした。
【００５６】
［溶剤不溶分の測定］
（１）試料２．０ｇをフラスコにとり、精秤する（Ｗ１）。
（２）試料の入ったフラスコに測定溶剤（キノリン）を１００ｍｌ加え、冷却器を取り付け、１１０℃のオイルバスに入れる。フラスコ内の溶液を攪拌しながら３０分間加熱し、試料を溶解させる。
（３）あらかじめ精秤しておいたろ過器（Ｗ２）に（２）の溶液を注ぎ、吸引ろ過を行う。
（４）ろ過残渣に６０℃の測定溶剤（キノリン）１００ｍｌを注ぎ、溶解、洗浄する。この操作を４回繰り返す。
（５）ろ過残渣の乗ったろ過器を１１０℃の乾燥機に入れ、６０分間乾燥させる。
（６）ろ過残渣の乗ったろ過器を乾燥機から取り出し、デシケーター内で３０分放冷した後、その重量を精秤する（Ｗ３）。
（７）溶剤不溶分を以下の式により計算する。
溶剤不溶分（重量％）＝（溶解後残渣重量／試料重量）×１００
＝（（Ｗ３−Ｗ２）／Ｗ１）×１００
【００５７】
（実施例１）
上記［溶剤不溶分の測定］で測定したＱｉ成分（キノリン不溶分）含有割合：３重量％〜２５重量％の範囲にあるコールタールピッチ１ｇに、それぞれキノリンを加えた後、これを７５℃で加熱し、混合・撹拌して、試料液を作製した。得られた試料溶液の２１００ｎｍの赤外スペクトルに基づく吸光度を測定した。
その結果、吸光度とＱｉとの関係は図１に示すグラフとなった。吸光度とＱｉとの相関係数を求めた結果、０．９９４であった。
【００５８】
（実施例２）
実施例１で作成した試料溶液の６００〜７００ｎｍの可視光スペクトルと２１００ｎｍの赤外線スペクトルに基づく吸光度をそれぞれ測定した。
その結果、６００〜７００ｎｍの可視光スペクトルに基づく吸光度（Ｋλ１）と２１００ｎｍの赤外スペクトルに基づく吸光度（Ｋλ２）の比率（Ｋλ２／Ｋλ１）とＱｉとの関係は図２に示すグラフとなった。得られた吸光度の比率からＱｉとの相関係数を求めた結果、０．９６０であった。
【００５９】
（実施例３）
実施例１で作成した試料溶液の１０００ｎｍの近赤外線スペクトルに基づく吸光度を測定した。
その結果、吸光度とＱｉとの関係は図３に示すグラフとなった。吸光度とＱｉとの相関係数を求めた結果、０．９９５であった。
【符号の説明】
【００６０】
Ｖ１、Ｖ２、Ｖ３、Ｖ４、Ｖ５、Ｖ６、Ｖ７、Ｖ８、Ｖ９、Ｖ１０  開閉バルブ
Ｐ１、Ｐ２、Ｐ３  ポンプ
Ｄ１、Ｄ２  タンク
Ｗ  廃液工程
１１  分岐管
１１ａ、１１ｂ、１１ｃ、１１ｆ、１１ｇ、１１ｈ  プロセスライン
１１ｄ  排出ライン
１１ｅ  バイパスライン
１２  熱交換器
１４  混合機構
１５  希釈溶解槽
１６  フローセル
２１  赤外分光器
２２  ランプ
２３  レンズ
２４  光学フィルター
ａ  ピッチ類等
ｂ  溶剤
ｃ  光
【図１】
2014178312.tif 000003
【図２】
2014178312.tif 000004
【図３】
2014178312.tif 000005
【図４】
2014178312.tif 000006
【図５】
2014178312.tif 000007